(57)【要約】【課題】かごパネルを突き合わせて締結するときの作業を簡易かつ容易に行なえ、側壁部の組立を能率よく進めることができるエレベータかご室の側壁部組立方法を提供する。【解決手段】隣接して並べられるかごパネル１ａ，１ｂの相互を締結してかご室の側壁部を組立てる方法であって、かごパネル１ａ，１ｂはそれぞれ斜辺４を有し、一方のかごパネル１ａの斜辺４には嵌合溝８が形成され、他方のかごパネル１ｂの斜辺４には嵌合突起１４ａ，１４ｂが設けられ、一方のかごパネル１ａの斜辺４の上部に他方のかごパネル１ｂの斜辺を突き合わせるとともに、嵌合突起１４ａ，１４ｂを嵌合溝８に挿入し、この状態で一方のかごパネル１ａの斜辺４に沿って他方のかごパネル１ｂを斜め下方にスライドさせて両斜辺同士の全長区間を対向合致させて側壁部を組立てる。両かごパネル１ａ，１ｂは、嵌合突起１４ａ，１４と嵌合溝８との嵌合で締結される。【選択図】    図１
2012137163.tif 000002
【特許請求の範囲】
【請求項１】
隣接して並べられるかごパネルの相互を締結してエレベータかご室の側壁部を組立てる組立方法であって、
前記各かごパネルはそれぞれ斜辺を有し、一方のかごパネルの斜辺にはその長手方向に沿って嵌合溝が形成され、他方のかごパネルの斜辺には前記嵌合溝に嵌合可能な嵌合突起が設けられ、一方のかごパネルの斜辺の上部に他方のかごパネルの斜辺を突き合わせるとともに、前記嵌合突起を前記嵌合溝に挿入し、この状態で前記嵌合突起と前記嵌合溝とによるガイドで前記一方のかごパネルの斜辺に沿って前記他方のかごパネルを斜め下方にスライドさせて前記両斜辺同士の全長区間を対向合致させる工程を含み、前記嵌合突起と前記嵌合溝とを、前記一方のかごパネルと前記他方のかごパネルの斜辺同士の全長区間が対向合致するときにおけるその一方のかごパネルと他方のかごパネルとを締結して結合保持する締結保持手段として機能させることを特徴とするエレベータかご室の側壁部組立方法。
【請求項２】
前記嵌合突起は、外径の大きい頭部とその頭部の外径より小さい軸部とを有する断面Ｔ形をなし、前記嵌合溝は前記頭部の外径寸法よりも大きい挿入部と、この挿入部に連なり溝幅が挿入部の外径より小さく前記嵌合突起の軸部の外径より大きいガイド部とを有し、前記嵌合突起は前記挿入部を通して嵌合溝に挿入され、前記他方のかごパネルのスライドで前記軸部が前記ガイド部に移行して前記頭部が前記ガイド部と対向することで、前記一方のかごパネルと他方のかごパネルとを締結して結合保持する締結保持手段として機能することを特徴とする請求項１記載のエレベータかご室の側壁部組立方法。
【請求項３】
前記嵌合突起はピン状をなし、前記嵌合溝は前記ピン状の嵌合突起の外径寸法より大きい溝幅のガイド部と、前記ピン状の嵌合突起の外径寸法より小さい溝幅の狭幅部とを有し、前記嵌合突起は前記ガイド部を通して嵌合溝に挿入され、前記他方のかごパネルのスライドで前記嵌合突起が前記ガイド部から狭幅部に移行してその狭幅部に圧入することで、前記一方のかごパネルと他方のかごパネルとを締結して結合保持する締結保持手段として機能することを特徴とする請求項１記載のエレベータかご室の側壁部組立方法。
【請求項４】
前記嵌合突起は少なくともその外表面が弾性部となっていることを特徴とする請求項１乃至３のいずれか記載のエレベータかご室の側壁部組立方法。
【請求項５】
前記嵌合溝の縁部にはリブが一体に形成されていることを特徴とする請求項１乃至３のいずれか記載のエレベータかご室の側壁部組立方法。
【請求項６】
側壁部が二枚のかごパネルの組合せで長方形状に組立てられることを特徴とする請求項１乃至３のいずれか記載のエレベータかご室の側壁部組立方法。
【請求項７】
側壁部が三枚のかごパネルの組合せで長方形状に組立てられることを特徴とする請求項１乃至３のいずれか記載のエレベータかご室の側壁部組立方法。
【発明の詳細な説明】
【技術分野】
【０００１】
この発明の実施形態は、乗客が乗るエレベータのかご室の側壁部を組立てる組立方法に関する。
【背景技術】
【０００２】
エレベータのかご室は、床部と側壁部と天井部とを備えている。側壁部は矩形の床部の三辺に起立して設けられ、互いに隣接して接合される複数のかごパネルにより構成されている。
【０００３】
側壁部の組立は、エレベータの昇降路内において行なわれる。すなわち、床部が昇降路内に配置され、その床部の縁部に複数のかごパネルが互いに隣接するように並べられ、その互いに隣接するかごパネル相互を締結することで側壁部が組立てられる。
【０００４】
かごパネル相互の締結は、かご室の外側からボルトナットを用いて行なわれるのが一般的である。
【０００５】
しかし、かご室の外側から締結作業を行なうとなると、そのかご室の外側つまり昇降路内にその作業用の足場などを設置しなければならず、また近年昇降路内は省スペース化により狭くなっており、このためその外側からの作業は相当面倒となる。そこで、近年、締結作業をかご室の内側から行なえるようにすることが考えられている。
【先行技術文献】
【特許文献】
【０００６】
【特許文献１】特開２００６−６９７５４号公報
【発明の概要】
【発明が解決しようとする課題】
【０００７】
従来、かご室の側壁部を組立てるための各かごパネルは、その接合される側縁が垂直となっており、このためそのかごパネルの側縁を突き合わせて締結するときの位置決めが面倒で、一方のかごパネルに対して他方のかごパネルを手作業で細かく移動させる微調整などを必要とし、組立作業の能率が低下する。
【０００８】
この発明の実施形態は、このような課題に着目してなされたもので、その目的とするところは、かごパネルを突き合わせて締結するときの作業をかご室の内側から簡易かつ容易に行なえ、側壁部の組立を能率よく進めることができるエレベータかご室の側壁部組立方法を提供することにある。
【課題を解決するための手段】
【０００９】
請求項１の発明は、隣接して並べられるかごパネルの相互を締結してエレベータかご室の側壁部を組立てる組立方法であって、前記各かごパネルはそれぞれ斜辺を有し、一方のかごパネルの斜辺にはその長手方向に沿って嵌合溝が形成され、他方のかごパネルの斜辺には前記嵌合溝に嵌合可能な嵌合突起が設けられ、一方のかごパネルの斜辺の上部に他方のかごパネルの斜辺を突き合わせるとともに、前記嵌合突起を前記嵌合溝に挿入し、この状態で前記嵌合突起と前記嵌合溝とによるガイドで前記一方のかごパネルの斜辺に沿って前記他方のかごパネルを斜め下方にスライドさせて前記両斜辺同士の全長区間を対向合致させる工程を含み、前記嵌合突起と前記嵌合溝とを、前記一方のかごパネルと前記他方のかごパネルの斜辺同士の全長区間が対向合致するときにおけるその一方のかごパネルと他方のかごパネルとを締結して結合保持する締結保持手段として機能させることを特徴としている。
【００１０】
請求項２の発明は、前記嵌合突起が、外径の大きい頭部とその頭部の外径より小さい軸部とを有する断面Ｔ形をなし、前記嵌合溝が前記頭部の外径寸法よりも大きい挿入部と、この挿入部に連なり溝幅が挿入部の外径より小さく前記嵌合突起の軸部の外径より大きいガイド部とを有し、前記嵌合突起が前記挿入部を通して嵌合溝に挿入され、前記他方のかごパネルのスライドで前記軸部が前記ガイド部に移行して前記頭部が前記ガイド部と対向することで、前記一方のかごパネルと他方のかごパネルとを締結して結合保持する締結保持手段として機能することを特徴としている。
【００１１】
請求項３の発明は、前記嵌合突起がピン状をなし、前記嵌合溝が前記ピン状の嵌合突起の外径寸法より大きい溝幅のガイド部と、前記ピン状の嵌合突起の外径寸法より小さい溝幅の狭幅部とを有し、前記嵌合突起が前記ガイド部を通して嵌合溝に挿入され、前記他方のかごパネルのスライドで前記嵌合突起が前記ガイド部から狭幅部に移行してその狭幅部に圧入することで、前記一方のかごパネルと他方のかごパネルとを締結して結合保持する締結保持手段として機能することを特徴としている。
【００１２】
請求項４の発明は、前記嵌合突起の少なくともその外表面が弾性部となっていることを特徴としている。
【００１３】
請求項５の発明は、前記嵌合溝の縁部にはリブが一体に形成されていることを特徴としている。
【００１４】
請求項６の発明は、側壁部が二枚のかごパネルの組合せで長方形状に組立てられることを特徴としている。
【００１５】
請求項７の発明は、側壁部が三枚のかごパネルの組合せで長方形状に組立てられることを特徴としている。
【図面の簡単な説明】
【００１６】
【図１】この発明の第１の実施形態における側壁部構成用のかごパネルを示す斜視図。
【図２】（Ａ）は図１中のＡ−Ａ線に沿う断面図、（Ｂ）は図１中のＡ−Ａ線に沿う断面図。
【図３】その第１の実施形態における側壁部の組立手順を示す工程図。
【図４】図３中のＣ−Ｃ線に沿う断面図。
【図５】この発明の第２の実施形態における両かごパネル結合部の構造を示す断面図。
【図６】この発明の第３の実施形態における側壁部構成用のかごパネルを示す斜視図。
【図７】その第３の実施形態における両かごパネル結合部の構造を示す断面図。
【図８】この発明の第４の実施形態における側壁部構成用のかごパネルを示す正面図。
【発明を実施するための形態】
【００１７】
以下、この発明の実施の形態について図面を参照して説明する。
【００１８】
図１〜図４には第１の実施形態を示してある。
【００１９】
図１には、かご室の側板部を組立てるための一組のかごパネル１ａ，１ｂの外観斜視図を、図２（Ａ）には図１におけるＡ−Ａ線に沿う断面図、図２（Ｂ）には同じくＢ−Ｂ線に沿う断面図をそれぞれ示してある。かごパネル１ａ，１ｂは例えば鋼板からなり、それぞれ底辺２と、底辺２に対して直角の垂辺３と、底辺２と垂辺３との間の斜辺４とを有するほぼ三角形状に形成されている。
【００２０】
かごパネル１ａ，１ｂは、その一方の面がかご室の内側に向ける化粧面５で、底辺２、垂辺３、斜辺４の各辺の縁部にはそれぞれ化粧面５の反対側にほぼ直角に折曲する折曲片６が一体に形成されている。
【００２１】
そして、一方のかごパネル１ａにおいては、斜辺４の縁部である折曲片６に、その長手方向に沿って長い嵌合溝８が形成されている。この嵌合溝８は、斜辺４の長手方向に延びるガイド部９と、このガイド部９の溝幅より大きな直径をなすほぼ円形状の一対の挿入部１０ａ，１０ｂとを有し、一対の挿入部１０ａ，１０ｂは嵌合溝８の上部寄りの位置に所定の間隔をあけて形成されている。また、嵌合溝８の縁部には折曲片６の内側に向って直角に折曲するリブ１１が一体に形成されている。
【００２２】
他方のかごパネル１ｂにおいては、斜辺４の縁部である折曲片６に、その長手方向に並んで一対の嵌合突起１４ａ，１４ｂが取り付けられている。これら嵌合突起１４ａ，１４ｂは、頭部１５と軸部１６とからなる断面Ｔ形をなし、頭部１５は前記嵌合溝８における挿入部１０ａ，１０ｂの直径よりやや小さい外径寸法の円形で、軸部１６はガイド部９の溝幅よりもごく僅かに小さい外径寸法の軸となっている。そして、嵌合突起１４ａと１４ｂとの間隔距離は、嵌合溝８における挿入部１０ａと１０ｂとの間隔距離と同じとなっている。
【００２３】
次に、かご室の側壁部を組立てる手順について説明する。
【００２４】
まず、図３（Ａ）に示すように、かご室の内側において、かご室の床部２０の一辺の縁部にかごパネル１ａ，１ｂのうちの一方のかごパネル１ａをその化粧面５がかご室の内側に向くように取り付ける。すなわち、かごパネル１ａの底辺２を床部２０の縁部に据え付け、垂辺３が垂直に起立するようにかごパネル１ａを床部２０に取り付ける。この状態のもとでは、かごパネル１ａの嵌合溝８の挿入部１０ａ，１０ｂが斜辺４の上部に位置している。
【００２５】
次に、図１及び図３（Ｂ）に示すように、他方のかごパネル１ｂをその底辺２が水平で、垂辺３が下側に延びる逆さまの状態に保持し、このかごパネル１ｂの斜辺４の嵌合突起１４ａ，１４ｂを一方のかごパネル１ａにおける嵌合溝８の挿入部１０ａ，１０ｂに対向させる。そして嵌合突起１４ａ，１４ｂを挿入部１０ａ，１０ｂに挿入し、他方のかごパネル１ｂにおける斜辺４の折曲片６を、一方のかごパネル１ａにおける斜辺４の折曲片６に突き合わせ、この状態で他方のかごパネル１ｂを一方のかごパネル１ａの斜辺４に沿って斜め下方にスライドさせる。
【００２６】
図４には図３（Ｂ）におけるＣ−Ｃ線に沿う断面図を示してあり、この図４に示すように、かごパネル１ｂのスライドに応じて嵌合突起１４ａ，１４ｂは、その軸部１６が嵌合溝８のガイド部９に移行し、その軸部１６とガイド部９とでかごパネル１ｂのスライドがガイドされる。そして、かごパネル１ｂがスライドするときには、そのかごパネル１ｂの自重がスライドを助長する力として作用するから、軽い操作で円滑に能率よくかごパネル１ｂをスライドさせることができる。したがって、この作業はかご室の内側において容易に能率よく行なうことができる。
【００２７】
そしてかごパネル１ｂがスライドすることで、嵌合突起１４ａ，１４ｂの軸部１６がガイド部９の下端側の端部に移行して当接し、その当接で一方のかごパネル１ａの斜辺４の全長区間と他方のかごパネル１ｂの斜辺４の全長区間とが対向合致するように位置決めされ、両かごパネル１ａ，１ｂにより長方形状の側壁部が構成される。
【００２８】
嵌合突起１４ａ，１４ｂはその頭部１５がガイド部９と対向することで嵌合溝８からの抜止めが図られ、また軸部１６が嵌合溝８の両側縁で挟まれることで、両かごパネル１ａ，１ｂががたつくことなく結合される。つまり、嵌合突起１４ａ，１４ｂと嵌合溝８が両かごパネル１ａ，１ｂを締結して結合保持する締結保持手段として機能する。
【００２９】
嵌合溝８の縁部にはその内側に折曲するリブ１１が一体に形成されており、このため嵌合突起１４ａ，１４ｂと嵌合溝８との結合をより安定させることができ、また嵌合溝８の縁部を補強することができる。
【００３０】
一対のかごパネル１ａ，１ｂで長方形状の一つの側壁部を据え付けた後には、その側壁部に隣接して他の一つの側壁部を同様の工程で据え付ける。すなわち、図３（Ｃ）に示すように既設のかごパネル１ｂの垂辺３に新規のかごパネル１ａの垂辺３を突き当て、この新規のかごパネル１ａの下部を床部２０に締結する。そして図３（Ｄ）に示すように、新規のかごパネル１ａの斜辺４に前述と同様の工程で、新規の他方のかごパネル１ｂを取り付けて長方形状の側壁部を組立てる。
【００３１】
このようにして、床部２０の縁部にかご室のサイズに応じる所要数の側壁部を据え付け、さらに同様の工程で床部２０の他の二辺の縁部にも側壁部を据え付けてかご室の側壁を構成する。
【００３２】
かご室の側壁を構成した後には、かご室の前面側となる床部２０の残りの一辺にかごドア装置を据え付け、さらに側壁の上部に天井部を据え付ける。
【００３３】
なお、かご室のサイズが小さいときには、床部２０の一つの縁部に一つの側壁部のみを据え付けて側壁とする場合もある。
【００３４】
図５には第２の実施形態を示してある。この実施形態においては、かごパネル１ｂの斜辺４に設けられた嵌合突起１４ａ，１４ｂの少なくとも軸部１６の外表面が適度な弾性を有する弾性部となっている。すなわち、例えば、軸部１６の外表面にゴムやウレタンなどの高分子材料からなる一定の厚さの弾性材２２が貼り付けられている。そして弾性材２２を含む軸部１６の外径寸法が、かごパネル１ａの斜辺４に形成された嵌合溝８におけるガイド部９の溝幅よりやや大きくなっている。
【００３５】
この実施形態においては、一方のかごパネル１ａの斜辺４に対して他方のかごパネル１ｂの斜辺４が斜め下方にスライドして嵌合突起１４ａ，１４ｂの軸部１６が嵌合溝８に沿って移行するときに、その軸部１６の外表面の弾性材２２が僅かに弾性的に変形して嵌合溝８のガイド部９に嵌合し、この状態で軸部１６がガイド部９に沿って移行してガイド部９の下端側の端部に当接する。そして、その当接で一方のかごパネル１ａの斜辺４の全長区間と他方のかごパネル１ｂの斜辺４の全長区間とが対向合致し、両かごパネル１ａ，１ｂが位置決めされる。
【００３６】
この場合、軸部１６の弾性材２２が嵌合溝８の両側縁に弾性的に接触しており、このため軸部１６の軸方向の移動がその弾性力で食い止められ、位置決めされた両かごパネル１ａ，１ｂの結合をより強め、その相互のがたつきをより確実に防止することができる。
【００３７】
なお、この実施形態では、嵌合突起１４ａ，１４ｂの軸部１６の外表面に弾性材２２を取り付けるようにしたが、嵌合突起１４ａ，１４ｂの全体をゴムやウレタンなどの弾性材で形成するような場合であってもよい。
【００３８】
図６及び図７には第３の実施形態を示してある。この実施形態においては、かごパネル１ｂの斜辺４における嵌合突起１４ａ，１４ｂが全長同一外径のピン状となっている。そして、かごパネル１ａの斜辺４における嵌合溝８は、ピン状の嵌合突起１４ａ，１４ｂの外径寸法よりやや大きい溝幅のガイド部２３と、このガイド部２３の中間部及び端部に設けられ、ピン状の嵌合突起１４ａ，１４ｂの外径寸法よりやや狭い溝幅の狭幅部２４ａ，２４ｂとを有している。狭幅部２４ａ，２４ｂは、一方のかごパネル１ａの斜辺４の全長区間と他方のかごパネル１ｂの斜辺４の全長区間とが対向合致するときに、ピン状の嵌合突起１４ａ，１４ｂが位置する個所に形成されている。
【００３９】
この実施形態においては、側壁部を組立てる際、図７（Ａ）に示すように、まずかごパネル１ｂの嵌合突起１４ａ，１４ｂをかごパネル１ａの嵌合溝８の最上部分のガイド部２３、及び狭幅部２４ａの下側部分のガイド部２３に挿入して一方のかごパネル１ａの斜辺４の上部に他方のかごパネル１ｂを突き合わせる。そして他方のかごパネル１ｂを一方のかごパネル１ａの斜辺４に沿って下方にスライドさせ、嵌合突起１４ａ，１４ｂをガイド部２３に沿って下方に移行させ、一方のかごパネル１ａの斜辺４の全長区間と他方のかごパネル１ｂの斜辺４の全長区間とを対向合致させる。
【００４０】
一方のかごパネル１ａの斜辺４の全長区間と他方のかごパネル１ｂの斜辺４の全長区間とが対向合致するときには、図７（Ｂ）に示すように嵌合突起１４ａ，１４ｂが嵌合溝８の狭幅部２４ａ，２４ｂにそれぞれ圧入し、この圧入で両かごパネル１ａ，１ｂが位置決めされる。
【００４１】
したがって、嵌合突起１４ａ，１４ｂの軸方向の移動がその圧入で食い止められ、位置決めされた両かごパネル１ａ，１ｂの結合がより強固となり、その相互のがたつきをより確実に防止することができる。
【００４２】
また、嵌合突起１４ａ，１４ｂが狭幅部２４ａ，２４ｂに達するまでの区間、つまりガイド部２３の区間ではその溝幅が嵌合突起１４ａ，１４ｂの外径寸法より大きな幅となっているから、一方のかごパネル１ａの斜辺４に対して他方のかごパネル１ｂを斜め下方にスライドさせるときの円滑性が良好となり、その操作の作業性が向上する。
【００４３】
なお、この第３の実施形態においても、前記ピン状の嵌合突起１４ａ，１４ｂを前記第２の実施形態の場合と同様に、少なくともその外表面を適度な弾性を有する弾性部とすることも可能である。
【００４４】
前記各実施形態では、二枚のかごパネル１ａ，１ｂを組合わせて一つの側壁部を組立てる場合の例であるが、図８に第４の実施形態として示すように、第１、第２、第３の三枚のかごパネル１ａ，１ｂ，１ｃの組合わせで一つの側壁部を組立てることも可能である。
【００４５】
この場合における第１及び第２のかごパネル１ａ，１ｂは、外径形状が同じで、それぞれ底辺２、垂辺３、斜辺４を有するほぼ三角形状をなしている。そしてこれら第１及び第２の二つのかごパネル１ａ，１ｂは、その各斜辺４が互いに向き合うように床部２０の縁部に締結される。
【００４６】
第１及び第２の二つのかごパネル１ａ，１ｂの斜辺４が互いに向き合うことで、その斜辺４の対向間に三角形の空間が形成されるが、第３のかごパネル１ｃは、その三角形の空間形状に対応する二等辺三角形状、すなわち一つの底辺２と二つの斜辺４ａ，４ｂを有する三角形状に形成されている。
【００４７】
そして、二等辺三角形状のかごパネル１ｃの一方の斜辺４ａには、前記第１〜第３の実施形態のいずれかの場合と同様の嵌合突起が設けられ、その斜辺４ａに対応する第１のかごパネル１ａの斜辺４にその嵌合突起に対応する嵌合溝が形成されている。
【００４８】
この実施形態においては、床部２０にまず第１及び第２のかごパネル１ａ，１ｂを据え付ける。次に、その第１及び第２のかごパネル１ａ，１ｂの斜辺４間の空間内に第３のかごパネル１ｃをその頂点を下方に向けて差し込む。
【００４９】
この際、第３のかごパネル１ｃの斜辺４ａの嵌合突起を第１のかごパネル１ａの斜辺４の嵌合溝に挿入し、その第３のかごパネル１ｃの斜辺４ａを第１のかごパネル１ａの斜辺４に突き合わせ、この状態で第３のかごパネル１ｃを第１のかごパネル１ａの斜辺４に沿って斜め下方にスライドさせ、第３のかごパネル１ｃの他方の斜辺４ｂを第２のかごパネル１ｂの斜辺４に密着させる。
【００５０】
第３のかごパネル１ｃの双方の斜辺４ａ，４ｂが第１及び第２の斜辺４にそれぞれ密着したときには、第３のかごパネル１ｃの嵌合突起と第１のかごパネル１ａの嵌合溝との嵌合で第３のかごパネル１ｃが第１のかごパネル１ａに結合される。そして、これら第１、第２、第３のかごパネル１ａ，１ｂ，１ｃで側壁部が構成される。
【００５１】
なお、以上説明したこの発明の幾つかの実施形態は、例として提示したものであり、発明の範囲を限定することは意図していない。この発明の新規な実施形態は、その他の様々な形態で実施することが可能であり、発明の要旨を逸脱しない範囲で、種々の省略、置き換え、変更を行うことができる。その実施形態やその変形は、発明の範囲や要旨に含まれるとともに、特許請求の範囲に記載された発明とその均等の範囲に含まれる。
【符号の説明】
【００５２】
１ａ．１ｂ．１ｃ…かごパネル
４．４ａ．４ｂ…斜辺
５…化粧面
６…折曲片
８…嵌合溝
９…ガイド部
１０ａ．１０ｂ…挿入部
１１…リブ
１４ａ．１４ｂ…嵌合突起
１５…頭部
１６…軸部
２０…床部
２２…弾性材
２３…ガイド部
２４ａ．２４ｂ…狭幅部
【図１】
2012137163.tif 000003
【図２】
2012137163.tif 000004
【図３】
2012137163.tif 000005
【図４】
2012137163.tif 000006
【図５】
2012137163.tif 000007
【図６】
2012137163.tif 000008
【図７】
2012137163.tif 000009
【図８】
2012137163.tif 000010